(57)【要約】【課題】複数の工程の各々での作業状況を容易に管理できるようにする。【解決手段】本実施形態の作業工程管理ラック２０は、収容部２５と、指示書識別情報読取部２２と、工程識別情報読取部２３とを備える。収容部２５は、複数の工程の各々で使用される作業指示書６５を収容する。指示書識別情報読取部２２は、「入出検出部」として機能し、収容部２５に対する作業指示書６５の入出を検出する。工程識別情報読取部２３は、複数の工程の各々に対して設定された工程識別情報を読み取る。【選択図】図２
2018106606.tif 000002
【特許請求の範囲】
【請求項１】
複数の工程の各々で使用される作業指示書を収容する収容部と、
前記収容部に対する前記作業指示書の入出を検出する入出検出部と、
前記複数の工程の各々に対して設定された工程識別情報を読み取る工程識別情報読取部と、
を備える作業工程管理ラック。
【請求項２】
前記入出検出部は、前記作業指示書に対して設定された指示書識別情報を読み取る指示書識別情報読取部である、
請求項１に記載の作業工程管理ラック。
【請求項３】
複数の工程の各々で使用される作業指示書を収容する収容部と、前記収容部に対する前記作業指示書の入出を検出する入出検出部と、前記複数の工程の各々に対して設定された工程識別情報を読み取る工程識別情報読取部とを備え、前記複数の工程の各々に設置される作業工程管理ラックと、
前記複数の工程毎に、前記工程識別情報読取部によって読み取られた工程識別情報、及び、前記入出検出部を用いて検出された入出情報を送信する送信器と、
前記送信器から送信された前記工程識別情報及び前記入出情報に基づいて、前記複数の工程毎の前記入出情報を管理するサーバと、
を備える作業工程管理システム。
【請求項４】
前記送信器は、前記複数の工程毎に、前記収容部に前記作業指示書が入れられたことが前記入出検出部によって検出された場合には入情報を送信し、前記収容部から前記作業指示書が出されたことが前記入出検出部によって検出された場合には出情報を送信し、
前記サーバは、前記送信器から送信された前記工程識別情報、前記入情報、及び、前記出情報に基づいて、前記複数の工程毎の作業実施時間、前記複数の工程間の作業滞留時間、及び、作業進捗状況のうちの少なくともいずれかを管理する、
請求項３に記載の作業工程管理システム。
【請求項５】
複数の工程の各々で使用される作業指示書を収容する収容部と、前記収容部に対する前記作業指示書の入出を検出する入出検出部と、前記複数の工程の各々に対して設定された工程識別情報を読み取る工程識別情報読取部とを備える作業工程管理ラックを前記複数の工程の各々に設置し、
前記複数の工程毎に、前記工程識別情報読取部によって読み取られた工程識別情報、及び、前記入出検出部を用いて検出された入出情報を送信器から送信し、
前記送信器から送信された前記工程識別情報及び前記入出情報に基づいて、前記複数の工程毎の前記入出情報をサーバで管理する、
ことを含む作業工程管理方法。
【発明の詳細な説明】
【技術分野】
【０００１】
本願の開示する技術は、作業工程管理ラック、作業工程管理システム、作業工程管理方法に関する。
【背景技術】
【０００２】
製品の製造現場では、ワークを複数の工程に順に搬送し、各工程でワークに対して作業を行い、製品を完成させる。このような製品の製造現場では、複数の工程の各々での作業状況を管理することが求められる。
【先行技術文献】
【特許文献】
【０００３】
【特許文献１】特開２０１６−５１２２３号公報
【発明の概要】
【発明が解決しようとする課題】
【０００４】
複数の工程の各々での作業状況を管理する一手法としては、ワークと共に次工程に搬送される作業指示書が各工程に設置のラックに入出されることを検出し、この入出情報をサーバに送信し、入出情報をサーバにて管理することが挙げられる。
【０００５】
ここで、ラックを複数の工程の各々に設置して使用する場合に、複数の工程毎にラックがどの工程にあるのかという工程識別設定を人手で行うのは煩雑である。したがって、複数の工程の各々での作業状況を容易に管理できることが望まれる。
【０００６】
本願の開示する技術は、一つの側面として、複数の工程の各々での作業状況を容易に管理できるようにすることを目的とする。
【課題を解決するための手段】
【０００７】
上記目的を達成するために、本願の開示する技術の一観点によれば、収容部と、入出検出部と、工程識別情報読取部とを備える作業工程管理ラックが提供される。収容部は、複数の工程の各々で使用される作業指示書を収容する。入出検出部は、収容部に対する作業指示書の入出を検出する。工程識別情報読取部は、複数の工程の各々に対して設定された工程識別情報を読み取る。
【発明の効果】
【０００８】
本願の開示する技術によれば、複数の工程の各々での作業状況を容易に管理することができる。
【図面の簡単な説明】
【０００９】
【図１】本願の開示する技術の一実施形態に係る作業工程管理システムを示す概念図である。
【図２】図１に示される作業工程管理ラック及び送信器等を拡大して示す斜視図である。
【図３】図１に示されるサーバにおいて管理される、複数の工程毎の作業実施時間、複数の工程間の作業滞留時間、及び、作業進捗状況を説明する図である。
【図４】本願の開示する技術の一実施形態に係る作業工程管理ラックの変形例を示す斜視図である。
【発明を実施するための形態】
【００１０】
はじめに、本願の開示する技術の一実施形態に係る作業工程管理システムの構成について説明する。
【００１１】
図１には、本実施形態の作業工程管理システム１０が概念的に示されている。作業工程管理システム１０は、例えば、製品の製造現場６０において、複数の工程１〜Ｎの各々での作業状況を管理するのに適用される。図１に示される製品の製造現場６０では、一例として、不図示のワークが複数の工程１〜Ｎに順に搬送され、各工程でワークに対して作業が行われ、製品が完成される。複数の工程１〜Ｎでの作業は、加工、組立、塗装、検査など、製品を完成させるための種々の作業に相当する。
【００１２】
この製品の製造現場６０では、作業指示書６５が使用される。作業指示書６５には、各工程における作業内容が記載されている。本実施形態では、一例として、作業指示書６５は、収納ファイル６６に収納された状態で、ワークと共に複数の工程に順に搬送される。そして、この作業指示書６５は、複数の工程の各々で使用される。
【００１３】
収納ファイル６６は、例えばクリアファイルである。この収納ファイル６６には、例えばＲＦＩＤ（Radio Frequency Identifier）タグなどの指示書識別情報記憶部６２が設けられている。指示書識別情報記憶部６２には、作業指示書６５に対して設定された指示書識別情報が記憶されている。また、作業指示書６５には、バーコード８５が付されており、収納ファイル６６には、バーコード８５に対応するバーコード８６が付されている。
【００１４】
本実施形態の作業工程管理システム１０は、以下に順に説明するように、作業工程管理ラック２０と、複数の作業者識別情報読取部３０と、複数の送信器４０と、サーバ５０とを備える。
【００１５】
作業工程管理ラック２０は、複数の工程の各々に設置される。この作業工程管理ラック２０は、可搬性を有する。作業工程管理ラック２０は、複数の工程の数だけ用意されて、複数の工程の各々に設置されても良く、また、複数の工程の数より少ない数だけ用意されて、足りない分の作業工程管理ラック２０は、作業が完了したか又は作業を行う前の工程から借りてきても良い。
【００１６】
図２には、作業工程管理ラック２０が拡大して示されている。作業工程管理ラック２０は、ラック本体２１と、複数の指示書識別情報読取部２２と、工程識別情報読取部２３と、制御部２４とを有する。
【００１７】
ラック本体２１は、階段状に形成された複数の収容部２５を有する。各収容部２５は、ラック本体２１の上側に開口している。収容部２５には、作業指示書６５が収納ファイル６６に収納された状態で収容される。本実施形態では、収容部２５の数が４つとされているが、収容部２５の数は、任意に設定可能である。また、複数の工程に共通で使用する作業指示書６５の数も任意に設定可能である。
【００１８】
複数の指示書識別情報読取部２２は、複数の収容部２５の各々に設けられている。各指示書識別情報読取部２２は、一例として、各収容部２５の背面２５Ａの下部に設けられている。指示書識別情報読取部２２は、収納ファイル６６が収容部２５に収容された場合に、指示書識別情報記憶部６２と対向する位置に配置される。指示書識別情報読取部２２は、例えばＲＦＩＤタグリーダであり、指示書識別情報記憶部６２に記憶された指示書識別情報を読み取り、読み取った指示書識別情報を制御部２４に送信する。
【００１９】
この指示書識別情報読取部２２は、後述するように収容部２５に対する作業指示書６５の入出を検出する「入出検出部」として機能する。つまり、指示書識別情報読取部２２は、一定時間間隔で作動する。そして、収納ファイル６６が収容部２５に収容されている場合、指示書識別情報読取部２２は、指示書識別情報を読み取り、この読み取った指示書識別情報を制御部２４に送信する。
【００２０】
一方、収納ファイル６６が収容部２５に収容されていない場合、指示書識別情報読取部２２は、指示書識別情報を読み取れないので、指示書識別情報を読み取れていない空の読取情報を制御部２４に送信する。このように、指示書識別情報読取部２２は、一定時間間隔で作動すると共に、収容部２５に対する作業指示書６５の入出に応じて異なる情報を送信することで「入出検出部」として機能する。
【００２１】
各工程には、作業工程管理ラック２０（ラック本体２１）を置くためのラック置場６１が設けられている。ラック置場６１には、例えばＲＦＩＤタグなどの工程識別情報記憶部６３が設けられている。工程識別情報記憶部６３には、複数の工程の各々に対して設定された工程識別情報が記憶されている。
【００２２】
工程識別情報読取部２３は、一例として、ラック本体２１の下面２１Ａに設けられている。工程識別情報読取部２３は、作業工程管理ラック２０（ラック本体２１）がラック置場６１の正規の位置に置かれた場合に、工程識別情報記憶部６３と対向する位置に配置される。工程識別情報読取部２３は、例えばＲＦＩＤタグリーダである。工程識別情報読取部２３に工程識別情報記憶部６３がかざされると、工程識別情報読取部２３は、工程識別情報記憶部６３に記憶された工程識別情報を読み取り、読み取った工程識別情報を制御部２４に送信する。
【００２３】
制御部２４は、複数の指示書識別情報読取部２２及び工程識別情報読取部２３と電気的に接続されている。この制御部２４は、複数の指示書識別情報読取部２２及び工程識別情報読取部２３に電源を供給する機能と、複数の指示書識別情報読取部２２及び工程識別情報読取部２３から送信された情報を後述する送信器４０に送信する機能を有する。
【００２４】
また、制御部２４は、後述するように、各指示書識別情報読取部２２を、収容部２５に対する作業指示書６５の入出を検出する「入出検出部」として作動させ、作業指示書６５の入出に応じた入出情報を送信器４０に送信する機能も有する。
【００２５】
つまり、指示書識別情報読取部２２から送信された情報が空の読取情報から正規の指示書識別情報に変化した場合、制御部２４は、入情報として正規の指示書識別情報を送信器４０に送信する。一方、指示書識別情報読取部２２から送信された情報が正規の指示書識別情報から空の読取情報に変化した場合、制御部２４は、出情報を送信器４０に送信する。
【００２６】
各工程には、作業者が配置されており、各作業者は、例えば身分証などの作業者識別情報記憶部７０を有している。作業者識別情報記憶部７０は、例えばＲＦＩＤカードやＲＦＩＤタグである。作業者識別情報記憶部７０には、各作業者に対して設定された作業者識別情報が記憶されている。
【００２７】
作業者識別情報読取部３０は、複数の工程毎に設置されている。作業者識別情報読取部３０は、例えばＲＦＩＤカードやＲＦＩＤタグの記憶情報を読み取るリーダである。作業者識別情報読取部３０に作業者識別情報記憶部７０がかざされると、作業者識別情報読取部３０は、作業者識別情報記憶部７０に記憶された作業者識別情報を読み取り、読み取った作業者識別情報を送信器４０に送信する。
【００２８】
送信器４０は、複数の工程毎に設置されている。各送信器４０は、複数の工程毎に設置された作業者識別情報読取部３０と有線又は無線で通信可能に接続されている。また、各送信器４０は、複数の工程の各々に設置される作業工程管理ラック２０の制御部２４と有線又は無線で通信可能に接続される。
【００２９】
図１に示されるように、複数の工程毎に設置された複数の送信器４０は、サーバ５０と有線又は無線で通信可能に接続されている。各送信器４０は、制御部２４から送信された入出情報及び工程識別情報と、作業者識別情報読取部３０から送信された作業者識別情報をサーバ５０に送信する。
【００３０】
サーバ５０は、「コンピュータ」として機能するものであり、演算部５１と、マスタデータベース５２と、実績データベース５３とを有する。演算部５１は、後述する如く送信器４０から送信された情報を実績データベース５３に記憶させる処理や、マスタデータベース５２に記憶された情報と実績データベース５３に記憶された情報との差分を抽出する処理等を実行可能である。
【００３１】
マスタデータベース５２には、入力端末９０に入力されたマスタデータが記憶され、実績データベース５３には、送信器４０やその他の図示しない入力手段から送信された情報が実績データとして記憶される。マスタデータベース５２と実績データベース５３とは、例えばＡＰＩ（Application Programming Interface）等のインターフェース５４を介して接続されている。
【００３２】
次に、本実施形態の作業工程管理方法について説明する。
【００３３】
図１に示されるように、先ず、入力端末９０に接続されたバーコードリーダ９１によって、作業指示書６５に付されたバーコード８５の記憶情報、及び、収納ファイル６６に付されたバーコード８６の記憶情報が読み取られる。バーコードリーダ９１で読み取られた双方のバーコード８５、８６の記憶情報は、リンクされてマスタデータベース５２に記憶される。
【００３４】
また、入力端末９０には、その他の情報が入力され、この入力端末９０に入力された情報は、マスタデータベース５２に記憶される。この入力端末９０に入力される情報は、例えば、各工程の作業者名、各作業者の識別情報、ロット識別情報、図番、製造数量、及び、指示書識別情報記憶部６２に記憶された指示書識別情報等である。
【００３５】
作業工程管理ラック２０は、複数の工程の各々に設置される。この作業工程管理ラック２０は、複数の工程の数だけ用意されて、複数の工程の各々に設置されても良い。また、作業工程管理ラック２０は、複数の工程の数より少ない数だけ用意されて、足りない分の作業工程管理ラック２０は、作業が完了したか又は作業を行う前の工程から借りてきても良い。
【００３６】
作業工程管理ラック２０は、各工程のラック置場６１に置かれる。図２に示されるように、作業工程管理ラック２０が、ラック置場６１の正規の位置に置かれると、作業工程管理ラック２０の工程識別情報読取部２３が、ラック置場６１の工程識別情報記憶部６３と対向する。工程識別情報読取部２３は、工程識別情報記憶部６３に記憶された工程識別情報を読み取り、読み取った工程識別情報を制御部２４に送信する。
【００３７】
制御部２４は、工程識別情報読取部２３から送信された工程識別情報を受信すると、受信した工程識別情報を送信器４０に送信する。送信器４０は、制御部２４から送信された工程識別情報を受信すると、受信した工程識別情報をサーバ５０に送信する。サーバ５０は、送信器４０から送信された工程識別情報を受信すると、工程識別情報から工程名及び設備名を抽出し、工程名及び設備名を実績データベース５３に記憶する。
【００３８】
また、製品の製造現場６０において作業が開始されると、作業者が作業者識別情報読取部３０に作業者識別情報記憶部７０をかざす。作業者識別情報読取部３０に作業者識別情報記憶部７０がかざされると、作業者識別情報読取部３０は、作業者識別情報記憶部７０に記憶された作業者識別情報を読み取り、読み取った作業者識別情報を送信器４０に送信する。
【００３９】
送信器４０は、作業者識別情報読取部３０から送信された作業者識別情報を受信すると、作業者識別情報をサーバ５０に送信する。サーバ５０は、送信器４０から送信された作業者識別情報を受信すると、この受信した作業者識別情報を工程１における作業者名として実績データベース５３に記憶する。
【００４０】
また、製品の製造現場６０において、作業工程管理ラック２０がラック置場６１に置かれると、制御部２４は、指示書識別情報読取部２２を、収容部２５に対する作業指示書６５の入出を検出する「入出検出部」として機能させる。つまり、制御部２４は、指示書識別情報読取部２２を一定時間間隔で作動させる。
【００４１】
指示書識別情報読取部２２が作動したときに収納ファイル６６が収容部２５に収容されていた場合、指示書識別情報読取部２２は、指示書識別情報を読み取り、この読み取った指示書識別情報を制御部２４に送信する。一方、指示書識別情報読取部２２が作動したときに収納ファイル６６が収容部２５に収容されていなかった場合、指示書識別情報読取部２２は、指示書識別情報を読み取れないので、指示書識別情報を読み取れていない空の読取情報を制御部２４に送信する。
【００４２】
製品の製造現場６０では、作業指示書６５を収容した収納ファイル６６がワークと共に工程１に搬送される。収納ファイル６６が収容部２５に入れられると、その後に指示書識別情報読取部２２が作動したタイミングで指示書識別情報が指示書識別情報読取部２２によって読み取られ、指示書識別情報読取部２２から制御部２４に正規の指示書識別情報が送信される。
【００４３】
制御部２４は、空の読取情報を受信していた状態から正規の指示書識別情報を受信すると、収容部２５に作業指示書６５が入れられたことが指示書識別情報読取部２２によって検出されたとして、入情報を送信器４０に送信する。送信器４０は、制御部２４から送信された入情報を受信すると、入情報をサーバ５０に送信する。サーバ５０は、送信器４０から送信された入情報を受信すると、入情報を受信した時刻、つまり、作業着手時刻を実績データベース５３に記憶する。
【００４４】
そして、工程１において、作業指示書６５に記載された内容に基づいて作業が実施され、工程１での作業が完了すると、収納ファイル６６が収容部２５から出される。
【００４５】
制御部２４は、正規の指示書識別情報を受信していた状態から空の読取情報を受信すると、収容部２５から作業指示書６５が出されたことが指示書識別情報読取部２２によって検出されたとして、出情報を送信器４０に送信する。送信器４０は、制御部２４から送信された出情報を受信すると、出情報をサーバ５０に送信する。サーバ５０は、送信器４０から送信された出情報を受信すると、出情報を受信した時刻、つまり、作業完了時刻を実績データベース５３に記憶する。
【００４６】
なお、制御部２４は、工程識別情報、入情報（指示書識別情報）、及び、出情報を受信する度に送信器４０に順次送信しても良いし、工程識別情報、入情報、及び、出情報をまとめて送信器４０に送信しても良い。また、送信器４０も、工程識別情報、入情報、及び、出情報を受信する度にサーバ５０に順次送信しても良いし、工程識別情報、入情報、及び、出情報をまとめてサーバ５０に送信しても良い。また、送信器４０は、制御部２４から送信された工程識別情報、入情報、及び、出情報と、作業者識別情報読取部３０から送信された作業者識別情報を、別々にサーバ５０に送信しても良いし、まとめてサーバ５０に送信しても良い。
【００４７】
以上で工程１での作業が完了する。工程１での作業が完了すると、工程２に移行する。この工程２においても、工程１と同様に、工程識別情報、作業者識別情報、及び、作業指示書６５の入出情報が取得され、これらの情報が実績データベース５３に記憶される。
【００４８】
そして、最終工程である工程Ｎにて作業が完了するまで、上述の各工程での情報取得作業が工程Ｎまで繰り返し実行される。
【００４９】
このように、本実施形態の作業工程管理方法では、収容部２５と、指示書識別情報読取部２２と、工程識別情報読取部２３とを備える作業工程管理ラック２０が複数の工程の各々に設置される。また、複数の工程毎に、工程識別情報読取部２３によって読み取られた工程識別情報、及び、指示書識別情報読取部２２を用いて検出された入出情報が送信器４０から送信される。そして、送信器４０から送信された工程識別情報及び入出情報に基づいて、複数の工程毎の入出情報がサーバ５０で管理される。
【００５０】
より具体的には、複数の工程毎に、指示書識別情報読取部２２によって収容部２５に作業指示書６５が入れられたことが検出された場合には送信器４０から入情報が送信される。一方、複数の工程毎に、指示書識別情報読取部２２によって収容部２５から作業指示書６５が出されたことが検出された場合には送信器４０から出情報が送信される。そして、送信器４０から送信された工程識別情報、入情報、及び、出情報に基づいて、複数の工程毎の作業実施時間、複数の工程間の作業滞留時間、及び、作業進捗状況がサーバ５０で管理される。
【００５１】
図３は、図１に示されるサーバ５０において管理される、複数の工程毎の作業実施時間、複数の工程間の作業滞留時間、及び、作業進捗状況を説明する図である。複数の工程毎の作業実施時間は、各工程において、入情報を受信した作業着手時刻から、出情報を受信した作業完了時刻までの間の時間で算出される。また、複数の工程間の作業滞留時間は、作業完了時刻から、その次の工程の作業着手時刻までの間の時間で算出される。さらに、作業進捗状況は、各工程での作業着手時刻及び作業完了時刻で把握される。
【００５２】
なお、実績データベース５３には、複数の工程毎の作業実施時間、複数の工程間の作業滞留時間、及び、作業進捗状況以外に、各工程に設置された入力手段から別途入力されたロット識別情報、図番、製造数量などの実績データが記憶されても良い。そして、サーバ５０では、演算部５１によって、マスタデータベース５２に記憶された情報と実績データベース５３に記憶された情報との差分が抽出されても良い。
【００５３】
次に、本実施形態の作用及び効果について説明する。
【００５４】
以上詳述したように、本実施形態によれば、複数の工程の各々に対して工程識別情報が設定されている。また、複数の工程の各々に設置される作業工程管理ラック２０には、工程識別情報読取部２３が設けられている。そして、複数の工程毎に、工程識別情報読取部２３によって工程識別情報が読み取られ、この工程識別情報と共に、作業指示書６５の入出に応じた入出情報がサーバ５０に送信される。したがって、複数の工程毎の入出情報を管理する際に、複数の工程毎に作業工程管理ラック２０がどの工程にあるのかという工程識別設定を人手によって行わなくて済む。これにより、複数の工程の各々での作業状況を容易に管理することができる。
【００５５】
また、本実施形態によれば、サーバ５０では、送信器４０から送信された工程識別情報、入情報、及び、出情報に基づいて、複数の工程毎の作業実施時間、複数の工程間の作業滞留時間、及び、作業進捗状況が管理される。これにより、複数の工程の各々での作業状況をより的確に管理することができる。
【００５６】
また、本実施形態によれば、指示書識別情報読取部２２が、収容部２５に対する作業指示書６５の入出を検出する「入出検出部」として機能する。したがって、入出検出部及び指示書識別情報読取部２２を作業工程管理ラック２０にそれぞれ設ける場合に比して、部品点数を削減できるので、コストダウンを図ることができる。
【００５７】
次に、本実施形態の変形例について説明する。
【００５８】
上記実施形態において、サーバ５０は、好ましくは、複数の工程毎の作業実施時間、複数の工程間の作業滞留時間、及び、作業進捗状況を管理する。しかしながら、サーバ５０は、複数の工程毎の作業実施時間、複数の工程間の作業滞留時間、及び、作業進捗状況のうちのいずれか一つ又は二つを管理しても良い。
【００５９】
また、上記実施形態では、一例として、工程識別情報記憶部６３及び工程識別情報読取部２３は、それぞれＲＦＩＤタグ及びリーダとされている。しかしながら、工程識別情報記憶部６３及び工程識別情報読取部２３は、それぞれＲＦＩＤタグ及びリーダ以外の記憶装置及び読取装置とされても良い。例えば、図４に示されるように、工程識別情報記憶部６３は、ＵＳＢメモリなどの記憶装置とされ、工程識別情報読取部２３は、ＵＳＢメモリの記憶情報を読み取る読取装置とされても良い。
【００６０】
同様に、指示書識別情報記憶部６２及び指示書識別情報読取部２２も、それぞれＲＦＩＤタグ及びリーダ以外の記憶装置及び読取装置とされても良い。
【００６１】
また、上記実施形態において、指示書識別情報読取部２２は、収容部２５に対する作業指示書６５の入出を検出する「入出検出部」を兼ねている。しかしながら、収容部２５に対する作業指示書６５の入出を検出する入出検出部と、指示書識別情報読取部２２とが別々に設けられても良い。そして、入出検出部によって収容部２５に作業指示書６５が入れられたことが検出された場合に、指示書識別情報記憶部６２に記憶された指示書識別情報が指示書識別情報読取部２２に読み取られて制御部２４に送信されても良い。
【００６２】
また、上記実施形態では、好ましくは、指示書識別情報読取部２２が用いられるが、指示書識別情報読取部２２の代わりに、収容部２５に対する作業指示書６５の入出を検出する入出検出部が用いられても良い。そして、この入出検出部から送信された入出情報がサーバ５０で管理されても良い。
【００６３】
また、上記実施形態において、指示書識別情報読取部２２は、収容部２５の背面２５Ａの下部に設けられているが、収容部２５のどの場所に設けられても良い。
【００６４】
また、上記実施形態において、複数の収容部２５は、好ましくは、階段状に形成されるが、階段状以外の形態でも良い。また、ラック本体２１は、ラック置場６１に対して鉛直軸線周りに回転する構造でも良い。
【００６５】
また、上記実施形態において、作業指示書６５は、収納ファイル６６に収納された状態で収容部２５に収容される。しかしながら、作業指示書６５は、収納ファイル６６に収納されずに、収容部２５に直接収容されても良い。
【００６６】
また、上記実施形態において、指示書識別情報記憶部６２は、収納ファイル６６に設けられているが、作業指示書６５に設けられても良い。
【００６７】
また、上記実施形態において、送信器４０は、作業工程管理ラック２０と独立しているが、送信器４０は、作業工程管理ラック２０に組み込まれても良い。
【００６８】
同様に、作業者識別情報読取部３０は、作業工程管理ラック２０と独立しているが、作業者識別情報読取部３０は、作業工程管理ラック２０に組み込まれても良い。
【００６９】
以上、本願の開示する技術の一実施形態について説明したが、本願の開示する技術は、上記に限定されるものでなく、上記以外にも、その主旨を逸脱しない範囲内において種々変形して実施可能であることは勿論である。
【００７０】
なお、上述の本願の開示する技術の一実施形態に関し、更に以下の付記を開示する。
【００７１】
（付記１）
複数の工程の各々で使用される作業指示書を収容する収容部と、
前記収容部に対する前記作業指示書の入出を検出する入出検出部と、
前記複数の工程の各々に対して設定された工程識別情報を読み取る工程識別情報読取部と、
を備える作業工程管理ラック。
（付記２）
前記入出検出部は、前記作業指示書に対して設定された指示書識別情報を読み取る指示書識別情報読取部である、
付記１に記載の作業工程管理ラック。
（付記３）
前記収容部を階段状に複数備える、
付記１又は付記２に記載の作業工程管理ラック。
（付記４）
前記指示書識別情報読取部は、前記収容部の背面の下部に設けられている、
付記１〜付記３のいずれか一項に記載の作業工程管理ラック。
（付記５）
複数の工程の各々で使用される作業指示書を収容する収容部と、前記収容部に対する前記作業指示書の入出を検出する入出検出部と、前記複数の工程の各々に対して設定された工程識別情報を読み取る工程識別情報読取部とを備え、前記複数の工程の各々に設置される作業工程管理ラックと、
前記複数の工程毎に、前記工程識別情報読取部によって読み取られた工程識別情報、及び、前記入出検出部を用いて検出された入出情報を送信する送信器と、
前記送信器から送信された前記工程識別情報及び前記入出情報に基づいて、前記複数の工程毎の前記入出情報を管理するサーバと、
を備える作業工程管理システム。
（付記６）
前記送信器は、前記複数の工程毎に、前記入出検出部によって前記収容部に前記作業指示書が入れられたことが検出された場合には入情報を送信し、前記入出検出部によって前記収容部から前記作業指示書が出されたことが検出された場合には出情報を送信し、
前記サーバは、前記送信器から送信された前記工程識別情報、前記入情報、及び、前記出情報に基づいて、前記複数の工程毎の作業実施時間、前記複数の工程間の作業滞留時間、及び、作業進捗状況のうちの少なくともいずれかを管理する、
付記４に記載の作業工程管理システム。
（付記７）
複数の工程の各々で使用される作業指示書を収容する収容部と、前記収容部に対する前記作業指示書の入出を検出する入出検出部と、前記複数の工程の各々に対して設定された工程識別情報を読み取る工程識別情報読取部とを備える作業工程管理ラックを前記複数の工程の各々に設置し、
前記複数の工程毎に、前記工程識別情報読取部によって読み取られた工程識別情報、及び、前記入出検出部を用いて検出された入出情報を送信器から送信し、
前記送信器から送信された前記工程識別情報及び前記入出情報に基づいて、前記複数の工程毎の前記入出情報をサーバで管理する、
ことを含む作業工程管理方法。
（付記８）
前記複数の工程毎に、前記収容部に前記作業指示書が入れられたことが前記入出検出部によって検出された場合には前記送信器から入情報を送信し、前記収容部から前記作業指示書が出されたことが前記入出検出部によって検出された場合には前記送信器から出情報を送信し、
前記送信器から送信された前記工程識別情報、前記入情報、及び、前記出情報に基づいて、前記複数の工程毎の作業実施時間、前記複数の工程間の作業滞留時間、及び、作業進捗状況のうちの少なくともいずれかをサーバで管理する、
付記６に記載の作業工程管理方法。
【符号の説明】
【００７２】
１０  作業工程管理システム
２０  作業工程管理ラック
２１  ラック本体
２２  指示書識別情報読取部
２３  工程識別情報読取部
２４  制御部
２５  収容部
２５Ａ  背面
３０  作業者識別情報読取部
４０  送信器
５０  サーバ
５１  演算部
５２  マスタデータベース
５３  実績データベース
６０  製造現場
６１  ラック置場
６２  指示書識別情報記憶部
６３  工程識別情報記憶部
６５  作業指示書
６６  収納ファイル
７０  作業者識別情報記憶部
【図１】
2018106606.tif 000003
【図２】
2018106606.tif 000004
【図３】
2018106606.tif 000005
【図４】
2018106606.tif 000006